(57)【要約】      （修正有）【課題】網本体にＺ形の登り返しの逆勾配をつけることで、収容した魚が開口部から逃げ出すのを防止可能な玉網を提供する。【解決手段】玉網は、持ち手５が固着される円形環状のフレームと、円形環状フレームに開口端縁部２０が取着される上方開口状の網本体２と、を備える。網本体２の開口端縁部２０は芯材に取着されている。芯材を円形環状フレーム１に固着することで、網本体２を円形環状フレームに固着している。芯材は、ナイロン、ポリエステル等の樹脂、あるいは、真鍮等の金属から成る。また、円形環状フレームは、完全な環、又は環の一部を切り欠いた形状に形成する。網本体２は、網本体２の開口端縁部２０の開口内径寸法ｄを、網本体２の上下方向の中間位置の中間円筒部２３の収容内径寸法Ｄよりも小さく設置し、円形環状フレームの下端１ａより下方位置（開口端縁部２０と中間円筒部２３の間）の開口縁部２１を、下方拡径状に形成してなる。【選択図】図１
0003157251.tif 000002
【実用新案登録請求の範囲】
【請求項１】
円形環状フレーム（１）に取着される網本体（２）の開口端縁部（20）の開口内径寸法（ｄ）を、上記網本体（２）の上下方向の中間位置の中間円筒部（23）の収容内径寸法（Ｄ）よりも小さく設定して、上記網本体（２）の開口縁部（21）を、登り返しの逆勾配（Ｚ）に形成したことを特徴とする玉網。
【請求項２】
上記編糸（３）が、ポリエステル製のモノフィラメントから成る請求項１記載の玉網。
【請求項３】
上記網本体（２）を形成する多数本の編糸（３）の交差部（30）を加熱融着して結び目を省略し、かつ、自由状態で有底円筒形状を保持するように構成した請求項１又は２記載の玉網。
【請求項４】
上記網本体（２）の内面が結び目の省略された平滑面状である請求項１，２又は３記載の玉網。
【考案の詳細な説明】
【技術分野】
【０００１】
本考案は、玉網に関する。
【背景技術】
【０００２】
従来、釣りに於て、釣った鮎や鮎の友釣りの囮鮎等の魚を収容する場合に、玉網が用いられている（例えば、特許文献１参照）。
【先行技術文献】
【特許文献】
【０００３】
【特許文献１】特開平６−３０６７８号公報
【考案の概要】
【考案が解決しようとする課題】
【０００４】
しかし、玉網内に収容した魚が、強く跳ねて網本体の内側の側面に沿って上方へ登っていって、網本体の開口部から逃げ出してしまうという問題があった。
【０００５】
そこで、本考案は、網本体の開口部から収容した魚が逃げ出すのを防止可能な玉網の提供を目的とする。
【課題を解決するための手段】
【０００６】
本考案の玉網は、円形環状フレームに取着される網本体の開口端縁部の開口内径寸法を、上記網本体の上下方向の中間位置の中間円筒部の収容内径寸法よりも小さく設定して、上記網本体の開口縁部を、登り返しの逆勾配に形成したものである。
また、編糸が、ポリエステル製のモノフィラメントから成るものである。
また、網本体を形成する多数本の編糸の交差部を加熱融着して結び目を省略し、かつ、自由状態で有底円筒形状を保持するように構成したものである。
また、上記網本体の内面が結び目の省略された平滑面状である。
【考案の効果】
【０００７】
本考案の玉網によれば、収容した魚が網本体の内側の側面に沿って上方へ登っていっても、開口部から逃げ出すのを確実に防止できる。魚が衝突する虞れのあるような蓋部材や天井壁部材等を設けずに、収容した魚を傷つけることなく逃げ出しを防止できる。
【図面の簡単な説明】
【０００８】
【図１】本考案の実施の形態を示す側面図である。
【図２】要部拡大断面図である。
【図３】網本体の要部拡大図である。
【図４】網本体の内面の一例を示す要部拡大図である。
【図５】図４のＡ−Ａ断面図である
【図６】製造工程を説明する断面図である。
【図７】作用説明図である。
【図８】作用説明図である。
【図９】従来の玉網の側面図である。
【図１０】図９の要部拡大図である。
【図１１】従来の網本体の内面を示す要部拡大図である。
【考案を実施するための形態】
【０００９】
以下、図示の実施の形態に基づき本考案を詳説する。
図１及び図２に示すように、本考案の玉網は、持ち手５が固着される円形環状のフレーム１と、円形環状フレーム１に開口端縁部20が取着される上方開口状の網本体２と、を備えている。
網本体２の開口端縁部20は芯材６に取着されている。芯材６を円形環状フレーム１に固着することで。網本体２を円形環状フレーム１に固着している。芯材６は、ナイロン、ポリエステル等の樹脂、あるいは、真鍮等の金属から成る。また、円形環状フレーム１は、完全な環、又は環の一部を切り欠いた形状に形成され、金属又は樹脂等材質は自由である。
【００１０】
網本体２は、網本体２の開口端縁部20の開口内径寸法ｄを、網本体２の上下方向の中間位置の中間円筒部23の収容内径寸法Ｄよりも小さく設置し、円形環状フレーム１の下端１ａより下方位置（開口端縁部20と中間円筒部23の間）の開口縁部21を、下方拡径状に形成して、収容されている魚が網本体２の内側の側面に沿って上方へ登って開口端縁部21及び円形環状フレーム１を乗り越えて網本体２の開口部から外へ飛び出すのを防止する登り返し（ネズミ返しや忍び返しのような）の逆勾配Ｚに形成している。
【００１１】
逆勾配Ｚに形成するとは、環状フレーム１近傍まで、網本体２を川等の水中に浸した場合の水面（水平面）Ｓと開口縁部21の内面の間の傾斜角度θを１００度以上１７０度以下に設定していることである。より好ましくは、１２０度以上１５０度以下に設定する。
上記の下限値未満であると、収容している魚が内側の側面に沿って登ってゆき、網本体２から飛び出してしまう虞れがある。また、上記の上限値を越えると、開口縁部21が水平状の天井面のように形成され、内側の側面に沿って登る魚が衝突してしまい、魚を傷つけてしまう虞れがある。
【００１２】
また、図３に示すように、網本体２は、多数本の編糸３で、メリヤス編み（天竺編み）で編まれて形成されている。編糸３はポリエステル製のモノフィラメントから成る。
編糸３と編糸３の交差部30を、加熱融着している。加熱融着によって交差部30と交差部30の間隔寸法（ピッチ）を保持させ、網本体２の外形状を自己保持可能な剛性を付与している。つまり、自由状態で、有底円筒形状を保持可能としている。
【００１３】
また、図４及び図５に示すように、網本体２の内面は、加熱溶着の際に、網本体２の内面側の編糸３と外面側の編糸３の交差部30が融着して接合面38を形成すると共に、内面側の編糸３を金属部材等の当て部材に押し当てて平坦面39を形成する。押圧や融着温度、加熱方向を調節して、交差部30の横断面視で、接合面38の接合幅寸法Ｗ２よりも、平坦面39の平坦幅寸法Ｗ１が大きくなるように形成している。
【００１４】
つまり、網本体２の内面側を平滑面状に形成している。また、編糸３と編糸３の交差部30の内外方向の厚さ寸法Ｔを、自然状態の編糸３の直径寸法の２倍未満となるように融着している。さらに言い換えると、交差部30と、交差部30以外の編糸３と、の段差寸法を、自然状態の編糸３の直径寸法未満となるように融着し、網本体２の内側（内面）を平滑状に形成している。
【００１５】
ここで、網本体２の製造工程について説明すると、図６（ａ）に示すように、網本体２は、先ず、逆勾配のない有底円筒状の網中間体29に編まれる。そして、円柱状首部Ｋａと、円柱状首部Ｋａから上方拡径状の勾配面Ｋｂを介して形成された円柱状頭部Ｋｃと、を有する成形型Ｋに、網中間体29を被覆する。成形型Ｋは、勾配面Ｋｂと水平面Ｓ’との間の拡径勾配角度αを、製作すべき網本体２の傾斜角度θと同じ値に設定している。
【００１６】
そして、図６（ｂ）に示すように、外方から２００度前後の熱風Ｈをあて、熱収縮させつつ成形型Ｋに沿わせて、開口端縁部20に登り返しの逆勾配Ｚを有する網本体２を成形し、かつ、交差部30を加熱融着する。また、網本体２の底部と側壁部の屈曲部にクセ付けをする。また、網本体２が自由状態で有底円筒形状を保持可能なコシやクセ（剛性）を付与する。
なお、網本体２が完全に冷却する前に、成形型Ｋから離脱させ、冷却後に逆勾配Ｚが確実に形成される。或いは、成形型Ｋを複数に分割して縮径自在な割り型として、冷却後に網本体２を離脱させても良い。また、成形型Ｋをヒーティングしても良い。なお、図６に於て、網本体２の断面は編目（網目）を図示省略している。
【００１７】
以下、本考案の使用法（作用）について説明する。
本考案の玉網は、図２に示すように、網本体２の内側の側面に沿って、収容した魚が登っても、開口縁部21が登り返しの逆勾配Ｚに形成しているので、魚は開口縁部21で、強制的にＵターンされ、飛び出しによる逃げが防止される。
【００１８】
例えば、図９に示すように、従来の玉網の網本体２’は、開口内径寸法ｄ’を。収容内径寸法Ｄ’よりも大きく又は等しく設定していた。つまり、傾斜角度θ’は９０度以下に設定されていた。したがって、収容している魚が内側の側面に沿って登ってゆき、飛び出して逃げ出してしまうことがあったが、本考案はその問題を解決している。
【００１９】
また、本考案の玉網は、交差部30の加熱融着、及び、熱風と成形型Ｋによるクセ付けによって、自由状態、及び、図７に示すような倒立姿勢状態にしても、逆勾配Ｚを有する有底円筒形状が保持される。二点鎖線で示す従来の網本体２’のように自重によって、乱雑に折り畳まれてしまう虞れがない。
【００２０】
つまり、図８に示すように、二点鎖線で示す従来の網本体２’は川に、浸漬させた際に、川の流れによって、流され、横倒円錐形状となって、魚を収容する内部の収納空間が狭くなると共に傾斜角度θ’が90度より小さい鋭角となる。このため、収容されている魚が内側の側面に沿って泳ぐだけで、容易に従来の網本体２’から飛び出してしまう。また、収納空間が狭くなることで、収容した魚が網に接触しやすくなって、内部で暴れたり傷ついたりする問題や、網本体２が絡まるといった問題が発生する。
【００２１】
ところが、本考案の玉網は、川の流れによって外形状が変形せず、網本体２の内部に所定の大きさの収納空間を保持する。また、開口縁部21の登り返しの逆勾配Ｚが保持され、収容した魚が内側の側面に沿って登って飛び出して逃げるのを確実に防止する（図２参照）。
【００２２】
また、従来の玉網は、図10及び図11に示すように、従来の編糸３’と編糸３’の交差部30’を結んでいたため結び目が形成されていた。即ち、多数の結び目が網本体２’の内面側に突出し、内面が多数の膨出突部が存在する非平滑面状に形成され、結び目によって魚を傷つけてしまうことがあった。
【００２３】
しかし、本考案の玉網は、交差部30を加熱融着して、結び目が省略され、さらに、内面は平滑面状に形成されているため、魚が網本体２に接触しても、魚を傷つける虞れがない。特に、鮎の友釣りに於て、囮鮎を収容している場合、囮鮎の活きは非常に大切であるが、このような囮鮎が網本体２の内面と接触して鮎が傷ついたり、ヌメリが損なわれたりして囮鮎が弱るのを確実に防止する。
【００２４】
なお、本考案は設計変更可能であって、網本体２の外形状は、開口縁部21が逆勾配Ｚに形成されていれば、図１に示した形状以外に、中間円筒部23近傍を側面視で円弧状に形成した略樽型（提灯型）とするも良い。また、網本体２の編型（網目形状）は、図３に示した以外のものでも良い。また、持ち手５の形状は、図１に示した下方傾斜状に限らず、水平状や上方傾斜状等自由である。
【００２５】
以上のように、本考案は、円形環状フレーム１に取着される網本体２の開口端縁部20の開口内径寸法ｄを、網本体２の上下方向の中間位置の中間円筒部23の収容内径寸法Ｄよりも小さく設定して、網本体２の開口縁部21を、登り返しの逆勾配Ｚに形成したので、収容した魚が網本体２の内面側の側面に沿って登ろうとしても、開口部から逃げ出すのを確実に防止できる。開口部に蓋体等、収容した魚が衝突するような部材を設ける必要がなく、魚を傷つけることなく逃げ出しを防止できる。
【００２６】
また、編糸３が、ポリエステル製のモノフィラメントから成るので、網本体２を軽量としながらも、編糸３同士の交差部30を加熱融着可能にすると共に、自然状態で外形状を保持可能なコシを付与することができる。つまり、張りがあり型崩れしにくく、耐久性の高い玉網を得ることができる。また、着色した際に色落ちを軽減できる。
【００２７】
また、網本体２を形成する多数本の編糸３の交差部30を加熱融着して結び目を省略し、かつ、自由状態で有底円筒形状を保持するように構成したので、収容した魚が傷つくのを防止できる。特に、鮎の友釣りに於て、鮎のぬめりがとれにくく常に元気な囮鮎を維持できる。また、川の流れによって型崩れせず、釣人や釣り具への引っ掛かりや、網本体２の絡まりを防止できる。外形状が川の流れに沿って大きく変形せず、収容した魚が逃げ出すのを防止できる。収納空間を確実に保持して収容した魚と網本体２が接触するのを防止できる。また、従来の手作業による結び目より交差部30を強固に維持できると共に、容易かつ迅速に製造できる。
【００２８】
上記網本体２の内面が結び目の省略された平滑面状であるので、収容した魚が傷つくのを防止できる。特に、鮎の友釣りに於て、鮎のぬめりがとれにくく常に元気な囮鮎を維持できる。
【符号の説明】
【００２９】
１  円形環状フレーム
２  網本体
３  編糸
20  開口端縁部
21  開口縁部
23  中間円筒部
30  交差部
Ｄ  収容内径寸法
ｄ  開口内径寸法
Ｚ  逆勾配
【図１】
0003157251.tif 000003
【図２】
0003157251.tif 000004
【図３】
0003157251.tif 000005
【図４】
0003157251.tif 000006
【図５】
0003157251.tif 000007
【図６】
0003157251.tif 000008
【図７】
0003157251.tif 000009
【図８】
0003157251.tif 000010
【図９】
0003157251.tif 000011
【図１０】
0003157251.tif 000012
【図１１】
0003157251.tif 000013